(57)【要約】【課題】電子機器について、使用者が、自らの好みに応じた動作制御設定を、著しい煩わしさを感じることなく行えることになる、着脱自在メモリー部品を用いた制御方法を提供する。【解決手段】電子機器用の動作制御設定データを格納したメモリースティック１００を電子機器１０に装着して、その動作制御部２０にメモリースティック１００に格納された動作制御設定データの取込みを行わせ、電子機器１０の動作制御部２０に、電子機器１０についてのメモリースティック１００から取り込まれた動作制御設定データに基づく設定に従った動作制御を行わせる。【選択図】　　　　図１
2004054987.tif 000002
【特許請求の範囲】
【請求項１】
電子機器用の動作制御設定データを格納した着脱自在メモリー部品を電子機器に装着して、該電子機器の動作制御部に上記着脱自在メモリー部品に格納された動作制御設定データの取込みを行わせ、上記電子機器の動作制御部に、上記電子機器についての上記動作制御設定データに基づく設定に従った動作制御を行わせる、着脱自在メモリー部品を用いた電子機器制御方法。
【請求項２】
電子機器の動作制御部により上記電子機器における動作制御設定を行い、着脱自在メモリー部品を上記電子機器に装着して、上記動作制御部に上記動作制御設定をあらわす動作制御設定データの上記着脱自在メモリー部品への書込みを行わせて、電子機器用の動作制御設定データを格納した着脱自在メモリー部品を得ることを特徴とする請求項１記載の着脱自在メモリー部品を用いた電子機器制御方法。
【請求項３】
電子機器用の動作制御設定データを格納した着脱自在メモリー部品が電子機器に装着されたもとで上記電子機器の電源が投入されたとき、該電子機器の動作制御部に、上記着脱自在メモリー部品から読み出された上記動作制御設定データを内蔵メモリー部に書き込む動作を行わせることを特徴とする請求項１記載の着脱自在メモリー部品を用いた電子機器制御方法。
【請求項４】
電子機器が動作状態にあるもとで、該電子機器に電子機器用の動作制御設定データを格納した着脱自在メモリー部品が装着されたとき、上記電子機器の動作制御部に、自動的にもしくはその後の上記電子機器に対する操作に応じて、上記着脱自在メモリー部品から読み出された上記動作制御設定データを内蔵メモリー部に書き込む動作を行わせることを特徴とする請求項１記載の着脱自在メモリー部品を用いた電子機器制御方法。
【請求項５】
着脱自在メモリー部品が装着され、装着された着脱自在メモリー部品に対するデータの書込みもしくは装着された着脱自在メモリー部品からのデータの読出しを行うメモリー部品装着部と、
データ処理もしくは信号処理を行って処理されたデータもしくは信号に基づく出力を発生する動作部と、
上記メモリー部品装着部及び動作部に対する動作制御を行う動作制御部と、
上記メモリー部品装着部，動作部及び動作制御部に対する電源部と、
上記動作制御部に対する操作部と、
を備え、
上記動作制御部が、上記メモリー部品装着部により該メモリー部品装着部に装着された電子機器用の動作制御設定データを格納した着脱自在メモリー部品から読み出された上記動作制御設定データを取り込み、上記動作部についての上記動作制御設定データに基づく設定に従った動作制御を行うものとされて構成される電子機器。
【請求項６】
動作制御部が、動作部についての動作制御設定を行い、メモリー部品装着部に該メモリー部品装着部に装着された着脱自在メモリー部品への上記動作制御設定をあらわす動作制御設定データの書込みを行わせて、電子機器用の動作制御設定データを格納した着脱自在メモリー部品を得ることを特徴とする請求項５記載の電子機器。
【請求項７】
動作制御部が、電子機器用の動作制御設定データを格納した着脱自在メモリー部品がメモリー部品装着部に装着されたもとで電源部が非動作状態から動作状態へと切り換えられたとき、上記メモリー部品装着部により該メモリー部品装着部に装着された上記着脱自在メモリー部品から読み出された上記動作制御設定データを内蔵メモリー部に書き込む動作を行うことを特徴とする請求項５記載の電子機器。
【請求項８】
動作制御部が、動作部が動作状態にあるもとで、メモリー部品装着部に電子機器用の動作制御設定データを格納した着脱自在メモリー部品が装着されたとき、自動的にもしくはその後の操作部に対する操作に応じて、上記メモリー部品装着部により該メモリー部品装着部に装着された上記着脱自在メモリー部品から読み出された上記動作制御設定データを内蔵メモリー部に書き込む動作を行うことを特徴とする請求項５記載の電子機器。
【発明の詳細な説明】
【０００１】
【発明の属する技術分野】
本願の特許請求の範囲に記載された発明は、電子機器について予め用意した動作制御設定に従った動作制御を行う電子機器制御方法、及び、斯かる電子機器制御方法が実施される電子機器に関する。
【０００２】
【従来の技術】
車両に搭載されるオーディオ機器，ビデオ機器等の電子機器については、一つの電子機器が複数の使用者によって共通に使用される場合、あるいは、複数の電子機器が一人の使用者によって選択的に使用される場合が少なくない。例えば、前者は、電子機器が搭載された車両が、企業体が所有する営業用の車両であって、複数の営業従業員の使用に供されるような場合等であり、また、後者は、一個人が複数の車両を所有していて、それらを状況に応じて使い分ける場合等である。
【０００３】
一つの電子機器が複数の使用者によって共通に使用されるもとにあっては、その電子機器は、各使用者の好みに応じた様々な動作制御設定がなされ、それらの設定の夫々に従った動作制御が行われるものとされることが多い。一方、複数の電子機器が一人の使用者によって選択的に使用されるもとにあっては、複数の電子機器の夫々が、一人の使用者の好みに応じた同じ動作制御設定がなされ、その設定に従った動作制御が行われるものとされることが多い。
【０００４】
【発明が解決しようとする課題】
上述の如くに、一つの電子機器が複数の使用者によって共通に使用されるもとにおかれ、当該電子機器に各使用者の好みに応じた様々な動作制御設定がなされる場合には、各使用者は、電子機器を使用するにあたり、直前に他の使用者が使用したときには、その都度、当該電子機器に設けられた操作部を操作して、電子機器についての自らの好みに応じた動作制御設定を行わなければならない。また、複数の電子機器が一人の使用者によって選択的に使用されるもとにおかれ、複数の電子機器の夫々に一人の使用者の好みに応じた同じ動作制御設定がなされる場合には、当該使用者は、複数の電子機器の夫々について、それに設けられた操作部を操作して、自らの好みに応じた動作制御設定を行って、その設定が維持されるようにしなければならない。
【０００５】
このような、複数の使用者の夫々が、電子機器を使用するにあたり、その都度、当該電子機器に設けられた操作部を操作して、電子機器についての自らの好みに応じた動作制御設定を行う状況は、複数の使用者に著しい煩わしさを感じさせることになり、また、一人の使用者が、複数の電子機器の夫々について、それに設けられた操作部を操作して、自らの好みに応じた動作制御設定を行って、その設定が維持されるようになす状況は、当該使用者に著しい煩わしさを感じさせることになる。
【０００６】
従って、複数の使用者の夫々が、著しい煩わしさを感じることなく、共通に使用される電子機器についての、自らの好みに応じた動作制御設定を行うことができるようにすること、及び、一人の使用者が、著しい煩わしさを感じることなく、複数の電子機器の夫々についての、自らの好みに応じた動作制御設定を行うことができるようにすることが、望まれるところとなっている。
【０００７】
斯かる点に鑑み、本願の特許請求の範囲に記載された発明は、例えば、車両に搭載されるオーディオ機器，ビデオ機器等の電子機器が、複数の使用者による共通の使用に供されるもとにあって、複数の使用者の夫々が、当該電子機器についての自らの好みに応じた動作制御設定を、著しい煩わしさを感じることなく行えることになる、もしくは、例えば、複数の車両に搭載されるオーディオ機器，ビデオ機器等の電子機器が、一人の使用者による共通の使用に供されるもとにあって、当該使用者が、複数の電子機器の夫々についての自らの好みに応じた動作制御設定を、著しい煩わしさを感じることなく行えることになる、着脱自在メモリー部品を用いた電子機器制御方法、及び、斯かる電子機器制御方法による制御を可能とする電子機器を提供する。
【０００８】
【課題を解決するための手段】
本願の特許請求の範囲における請求項１から請求項４までのいずれかに記載された発明に係る着脱自在メモリー部品を用いた電子機器制御方法は、電子機器用の動作制御設定データを格納した着脱自在メモリー部品を電子機器に装着して、当該電子機器の動作制御部に、着脱自在メモリー部品に格納された動作制御設定データの取込みを行わせるとともに、電子機器についての取り込まれた動作制御設定データに基づく設定に従った動作制御を行わせるものとされる。
【０００９】
特に、本願の特許請求の範囲における請求項２に記載された発明に係る着脱自在メモリー部品を用いた電子機器制御方法は、電子機器の動作制御部により当該電子機器における動作制御設定を行い、着脱自在メモリー部品を電子機器に装着して、動作制御部に動作制御設定をあらわす動作制御設定データの着脱自在メモリー部品への書込みを行わせて、電子機器用の動作制御設定データが格納された着脱自在メモリー部品を得るものとされる。
【００１０】
また、本願の特許請求の範囲における請求項５から請求項８までのいずれかに記載された発明に係る電子機器は、着脱自在メモリー部品が装着され、装着された着脱自在メモリー部品に対するデータの書込みもしくは装着された着脱自在メモリー部品からのデータの読出しを行うメモリー部品装着部と、データ処理もしくは信号処理を行って処理されたデータもしくは信号に基づく出力を発生する動作部と、メモリー部品装着部及び動作部に対する動作制御を行う動作制御部と、メモリー部品装着部，動作部及び動作制御部に対する電源部と、動作制御部に対する操作部とを備え、動作制御部が、メモリー部品装着部によりそれに装着された電子機器用の動作制御設定データを格納した着脱自在メモリー部品から読み出された動作制御設定データを取り込み、動作部についての動作制御設定データに基づく設定に従った動作制御を行うものとされて、構成される。
【００１１】
特に、本願の特許請求の範囲における請求項６に記載された発明に係る電子機器は、動作制御部が、動作部についての動作制御設定を行い、メモリー部品装着部にそれに装着された着脱自在メモリー部品への動作制御設定をあらわす動作制御設定データの書込みを行わせて、電子機器用の動作制御設定データを格納した着脱自在メモリー部品を得るものとされる。
【００１２】
上述の如くの本願の特許請求の範囲における請求項１から請求項４までのいずれかに記載された発明に係る着脱自在メモリー部品を用いた電子機器制御方法にあっては、電子機器用の動作制御設定データを格納した着脱自在メモリー部品からの動作制御設定データが、電子機器の動作制御部に取り込まれ、その動作制御部によって、電子機器についての取り込まれた動作制御設定データに基づく設定に従った動作制御が行われる。その際、電子機器用の動作制御設定データを格納した着脱自在メモリー部品は、例えば、本願の特許請求の範囲における請求項２に記載された発明に係る方法の如くに、電子機器の動作制御部により当該電子機器について行われた動作制御設定をあらわす動作制御設定データが着脱自在メモリー部品に書き込まれて得られ、それゆえ、電子機器の各使用者に固有の動作制御設定データを格納したものとされ得ることになる。
【００１３】
従って、電子機器の各使用者により、各使用者に固有の動作制御設定データを格納した着脱自在メモリー部品が電子機器に装着されるときには、使用者に別段の煩わしさを感じさせることなく、当該電子機器についての使用者の好みに応じた動作制御設定が行われ、その設定に従った電子機器の動作制御が行われる。
【００１４】
また、本願の特許請求の範囲における請求項５から請求項８までのいずれかに記載された発明に係る電子機器にあっては、メモリー部品装着部に装着された電子機器用の動作制御設定データを格納した着脱自在メモリー部品から、そのメモリー部品装着部によって読み出された動作制御設定データが、電子機器の動作制御部に取り込まれ、その動作制御部によって、動作部についての取り込まれた動作制御設定データに基づく設定に従った動作制御が行われる。その際、電子機器用の動作制御設定データを格納した着脱自在メモリー部品は、例えば、本願の特許請求の範囲における請求項６に記載された発明に係る電子機器の如くに、電子機器の動作制御部により動作部について行われた動作制御設定をあらわす動作制御設定データが、メモリー部品装着部に装着された着脱自在メモリー部品に書き込まれて得られ、それゆえ、電子機器の各使用者に固有の動作制御設定データを格納したものとされ得ることになる。
【００１５】
従って、電子機器の各使用者により、各使用者に固有の動作制御設定データを格納した着脱自在メモリー部品がメモリー部品装着部に装着されるときには、使用者に別段の煩わしさを感じさせることなく、動作部についての使用者の好みに応じた動作制御設定が行われ、その設定に従った動作部の動作制御が行われる。
【００１６】
【発明の実施の形態】
図１は、本願の特許請求の範囲における請求項１から請求項４までのいずれかに記載された発明に係る着脱自在メモリー部品を用いた電子機器制御方法の一例の実施に供される、本願の特許請求の範囲における請求項５から請求項８までのいずれかに記載された発明に係る電子機器の一例と着脱自在メモリー部品の一例とをあらわす。ここでは、着脱自在メモリー部品の一例が、メモリースティック（ＭＥＭＯＲＹ　ＳＴＩＣＫ：　ソニー株式会社の登録商標）と称される薄型棒状の半導体記録媒体とされている。
【００１７】
図１においては、本願の特許請求の範囲における請求項５から請求項８までのいずれかに記載された発明に係る電子機器の一例が、電子機器１０として示されている。電子機器１０は、例えば、車両に搭載されて使用されるオーディオ機器とされている。
【００１８】
電子機器１０にあっては、着脱自在メモリー部品の一例を成すメモリースティック１００が装着されるメモリー部品装着部１１が設けられている。メモリー部品装着部１１は、メモリースティック１００が挿入されるメモリースティックスロット１２と、メモリースティックスロット１２に挿入されたメモリースティック１００に対するデータの書込み、もしくは、メモリースティックスロット１２に挿入されたメモリースティック１００からのデータの読出しを行うメモリースティック書込み・読出し制御部１３とを含んで構成されている。即ち、このようにメモリースティックスロット１２とメモリースティック書込み・読出し制御部１３とを含んで構成されたメモリー部品装着部１１は、その一例がメモリースティック１００とされる着脱自在メモリー部品が装着され、装着された着脱自在メモリー部品に対するデータの書込みもしくは装着された着脱自在メモリー部品からのデータの読出しを行うものとされているのである。
【００１９】
また、電子機器１０には、データ処理もしくは信号処理を行って処理されたデータもしくは信号に基づく出力を発生する動作部を構成する、ＦＭ／ＡＭチューナ部１４，ミニ・ディスク（Ｍｉｍｉ　Ｄｉｓｃ：ＭＤ）デッキ部１５，レベル調整部１６，オーディオパワーアンプ（ＡＭＰ）部１７及びスピーカ部１８が設けられている。
【００２０】
ＦＭ／ＡＭチューナ部１４は、ＦＭオーディオ放送信号もしくはＡＭオーディオ放送信号についての選択受信を行う。また、ＭＤデッキ部１５は、ＭＤが装着されて、装着されたＭＤを回転駆動し、それに対するオーディオ信号の記録あるいはそれからのオーディオ信号の再生を行う。さらに、レベル調整部１６は、ＦＭ／ＡＭチューナ部１４から得られるオーディオ信号あるいはＭＤデッキ部１５から得られるオーディオ信号についてのレベル調整を行って、レベル調整が施されたオーディオ信号をＡＭＰ部１７に供給する。ＡＭＰ部１７は、レベル調整部１６からのオーディオ信号あるいは後述される動作制御部２０からのオーディオ信号についての出力増幅を行って、それをスピーカ部１８に供給する。スピーカ部１８は、ＡＭＰ部１７からのオーディオ信号に応じた放音を行う。
【００２１】
上述の如くに、メモリースティックスロット１２とメモリースティック書込み・読出し制御部１３とを含んで構成されたメモリー部品装着部１１と、ＦＭ／ＡＭチューナ部１４，ＭＤデッキ部１５，レベル調整部１６，ＡＭＰ部１７及びスピーカ部１８を含んで構成される動作部とが設けられた電子機器１０にあっては、メモリー部品装着部１１におけるメモリースティック書込み・読出し制御部１３，ＦＭ／ＡＭチューナ部１４，ＭＤデッキ部１５，レベル調整部１６，ＡＭＰ部１７等々についての動作制御を行う動作制御部２０が設けられている。そして、動作制御部２０には、各種の調整／制御用釦，キ−操作データ入力部等を含めた操作部２１と、動作制御部２０による動作制御のもとに画像表示を行う表示部２２とが、連結されている。
【００２２】
動作制御部２０は、その主要部分が、例えば、マイクロコンピュータが用いられて構成され、また、内蔵メモリー部２３を備えている。また、動作制御部２０からは、オーディオ信号が送出される場合があり、動作制御部２０から送出されるオーディオ信号は、前述の如くにＡＭＰ部１７に供給される。動作制御部２０からオーディオ信号が送出されるのは、例えば、メモリースティックスロット１２に挿入されたメモリースティック１００が、オーディオ信号を格納したものであり、そのオーディオ信号がメモリースティック書込み・読出し制御部１３によってメモリースティック１００から読み出されて、動作制御部２０に供給される場合等においてである。
【００２３】
さらに、図１に示される電子機器１０には、メモリー部品装着部１１におけるメモリースティック書込み・読出し制御部１３，ＦＭ／ＡＭチューナ部１４，ＭＤデッキ部１５，レベル調整部１６，ＡＭＰ部１７，制御ユニット２０，操作部２１，表示部２２等々の各部に動作電圧を供給する電源部２４が備えられている。電源部２４も、動作制御部２０に連結されていて、動作制御部２０により制御される。
【００２４】
メモリースティック１００は、半導体メモリー素子を内蔵した、全体として薄型棒状を成すプラスチック成形品とされ、その外観が、例えば、図２に示される如くのもとされる。図２のＡは、メモリースティック１００の表面を示し、図２のＢは、メモリースティック１００の裏面を示す。図２のＡに示される表面は、全体がプラスチック成形面とされていて、その上にラベル１０１が貼付されている。また、図２のＢに示される裏面は、プラスチック成形面に多数の外部接続端子部１０２が外部に臨んで配されている。また、誤記録等防止部１０３が備えられており、誤記録等防止部１０３に矢印“ＬＯＣＫ”の位置をとらせると、内蔵する半導体メモリー素子へのデータの書込み、内蔵する半導体メモリー素子に書き込まれたデータの修正及び消去が防止される。
【００２５】
そして、メモリースティック１００が、電子機器１０のメモリー部品装着部１１に装着されるにあたっては、例えば、図３に示される如くに、電子機器１０に設けられたメモリースティックスロッット１２に、多数の外部接続端子部１０２が外部に臨んで配された端縁部側から挿入され、メモリースティックスロッット１２の内部に設けられた接続部に多数の外部接続端子部１０２を接触させる状態とされる。
【００２６】
このようなもとで、電子機器１０が、その操作部２１が使用者によって操作されて、動作を開始する状態とされるとき、例えば、ＦＭ／ＡＭチューナ部１４もしくはＭＤデッキ部１５から送出されたオーディオ信号が、レベル調整部１６及びＡＭＰ部１７を通じてスピーカ部１８に供給され、スピーカ部１８によってＦＭ／ＡＭチューナ部１４もしくはＭＤデッキ部１５から送出されたオーディオ信号に基づく音声が再生される状態とされる。斯かる際、使用者がそれを望む場合、使用者は、操作部２１を操作することにより、動作制御部２０によって、例えば、レベル調整部１６におけるオーディオ信号についてのレベル調整態様，ＡＭＰ部１７におけるオーディオ信号についての増幅態様等を好みに叶うものとし、動作部についての動作制御設定を自らの好みに応じて行う。
【００２７】
そして、使用者は、好みに応じて行った動作制御設定を保存することを望む場合には、メモリースティックスロット１２にデータの書込みを行うことができるメモリースティック１００を挿入し、操作部２１を操作することによって、希望を叶えることができる。その際には、動作制御部２０が、操作部２１における操作に応じて、メモリースティック書込み・読出し制御部１３に、保存すべき動作制御設定を設定項目別にあらわす動作制御設定データを、メモリースティックスロット１２に挿入されたメモリースティック１００に書き込む動作状態をとらせる。それにより、使用者の好みに応じた動作制御設定をあらわす動作制御設定データを格納した、使用者に固有のメモリースティック１００が得られる。
【００２８】
このようにして、使用者に固有のメモリースティック１００を得るにあたって、動作制御部２０を構成するマイクロコンピュータが実行する制御プログラムの一例は、図４に示される如くのものとされる。
【００２９】
図４に示される制御プログラムの一例にあっては、スタート後、ステップ３１において、動作部についての動作制御設定であって保存すべきものが完了したか否かを判断する。その結果、動作制御設定が完了していない場合には、ステップ３１での判断を繰り返す。
【００３０】
ステップ３１での判断の結果、動作制御設定が完了した場合には、ステップ３２において、表示部２２に保存すべき動作制御設定を項目別に示す保存設定項目についての表示を行わせ、続くステップ３３において、保存設定項目についての使用者による確認が得られた否かを判断する。その結果、保存設定項目についての確認が得られた場合には、ステップ３４において、メモリースティック書込み・読出し制御部１３に、保存すべき動作制御設定を設定項目別にあらわす動作制御設定データを、メモリースティックスロット１２に挿入されたメモリースティック１００に書き込む動作状態をとらせる。その後、ステップ３５において、元の動作状態に戻って、プログラムを終了する。
【００３１】
一方、ステップ３３での判断の結果、保存設定項目についての確認が得られない場合には、ステップ３６において、ステップ３３での判断後所定時間が経過したか否かを判断する。そして、ステップ３６での判断の結果、所定時間が経過していない場合には、ステップ３３に戻って、ステップ３３での判断を繰り返し、また、所定時間が経過した場合には、プログラムを終了する。
【００３２】
上述の如くにして得られた、電子機器１０の動作部についての動作制御設定データを格納したメモリースティック１００が、電子機器１０に設けられたメモリースティックスロット１２に挿入されてメモリー部品装着部１１に装着されたとき、電子機器１０に備えられた電源部２４が非動作状態にあると、その後、電子機器１０に設けられた操作部２１が操作されて、動作制御部２０により、電源部２４が非動作状態から動作状態へと切り換えられ、電子機器１０の電源が投入されたとき、動作制御部２０が、メモリースティック書込み・読出し制御部１３に、メモリースティックスロット１２に挿入された、電子機器１０の動作部についての動作制御設定データを格納したメモリースティック１００から、動作制御設定データを読み出す動作状態をとらせる。
【００３３】
そして、動作制御部２０は、メモリースティック書込み・読出し制御部１３によりメモリースティック１００から読み出された動作制御設定データを、内蔵メモリー部２３に書き込んで取り込む。続いて、動作制御部２０は、例えば、ＦＭ／ＡＭチューナ部１４もしくはＭＤデッキ部１５から送出されたオーディオ信号が送出される状態としたもとで、レベル調整部１６及びＡＭＰ部１７についての動作制御を、内蔵メモリー部２３に取り込まれた動作制御設定データがあらわす動作制御設定に従って行う。
【００３４】
それにより、ＦＭ／ＡＭチューナ部１４もしくはＭＤデッキ部１５から送出されるオーディオ信号が供給されるレベル調整部１６及びＡＭＰ部１７を含んだ動作部についての動作制御が、使用者の好みに応じた動作制御設定に従って行われることになり、ＦＭ／ＡＭチューナ部１４もしくはＭＤデッキ部１５から送出されるオーディオ信号についてのレベル調整部１６におけるレベル調整態様，ＡＭＰ部１７における増幅態様等が、使用者の好みに叶うものとされる。
【００３５】
このように、電子機器１０の動作部についての動作制御設定データを格納したメモリースティック１００が、電子機器１０に設けられたメモリースティックスロット１２に挿入されてメモリー部品装着部１１に装着されたもとにおいて、電子機器１０の電源が投入されたとき、レベル調整部１６及びＡＭＰ部１７を含む動作部についての動作制御を、メモリースティック１００から読み出された動作制御設定データがあらわす動作制御設定に従って行うにあたって、動作制御部２０を構成するマイクロコンピュータが実行する制御プログラムの一例は、図５に示される如くのものとされる。
【００３６】
図５に示される制御プログラムの一例にあっては、スタート後、ステップ４１において、メモリースティック１００がメモリースティックスロット１２に挿入されてメモリー部品装着部１１に装着されているか否かを判断する。その結果、メモリースティック１００がメモリー部品装着部１１に装着されていない場合には、ステップ４１での判断を繰り返す。
【００３７】
ステップ４１での判断の結果、メモリースティック１００がメモリー部品装着部１１に装着されている場合には、ステップ４２において、電子機器１０の電源が投入されたか否かを判断する。その結果、電子機器１０の電源が投入された場合には、ステップ４３において、メモリー部品装着部１１に装着されているメモリースティック１００に電子機器１０の動作部についての動作制御設定データが格納されているか否かを判断する。
【００３８】
その結果、メモリースティック１００に動作制御設定データが格納されている場合には、ステップ４４において、メモリースティック書込み・読出し制御部１３に、メモリースティックスロット１２に挿入されてメモリー部品装着部１１に装着されているメモリースティック１００から、それに格納された動作制御設定データを読み出す動作状態をとらせる。続いて、ステップ４５において、メモリースティック書込み・読出し制御部１３によりメモリースティック１００から読み出された動作制御設定データを、内蔵メモリー部２３に書き込んで取り込む。その後、ステップ４６において、レベル調整部１６及びＡＭＰ部１７を含む動作部についての、内蔵メモリー部２３に取り込んだ動作制御設定データがあらわす動作制御設定に従った動作制御を含む、通常の制御動作を開始して、プログラムを終了する。
【００３９】
一方、ステップ４３での判断の結果、メモリースティック１００に動作制御設定データが格納されていない場合には、直ちにプログラムを終了する。
【００４０】
さらに、ステップ４２での判断の結果、電子機器１０の電源が投入されていない場合には、ステップ４７において、ステップ４２での判断後所定時間が経過したか否かを判断する。そして、ステップ４７での判断の結果、所定時間が経過していない場合には、ステップ４２に戻って、ステップ４２での判断を繰り返し、また、所定時間が経過した場合には、プログラムを終了する。
【００４１】
また、前述の如くにして得られた、電子機器１０の動作部についての動作制御設定データを格納したメモリースティック１００が、電子機器１０に設けられたメモリースティックスロット１２に挿入されてメモリー部品装着部１１に装着されたとき、電子機器１０におけるレベル調整部１６及びＡＭＰ部１７を含む動作部が動作状態にある場合には、自動的にもしくはその後の電子機器１０に設けられた操作部２１の操作に応じて、動作制御部２０が、メモリースティック書込み・読出し制御部１３に、メモリースティックスロット１２に挿入された、電子機器１０の動作部についての動作制御設定データを格納したメモリースティック１００から、動作制御設定データを読み出す動作状態をとらせる。
【００４２】
そして、動作制御部２０は、メモリースティック書込み・読出し制御部１３によりメモリースティック１００から読み出された動作制御設定データを、内蔵メモリー部２３に書き込んで取り込む。続いて、動作制御部２０は、元の動作状態に戻り、例えば、レベル調整部１６及びＡＭＰ部１７についての動作制御を、内蔵メモリー部２３に取り込まれた動作制御設定データがあらわす動作制御設定に従って行う。
【００４３】
それにより、ＦＭ／ＡＭチューナ部１４もしくはＭＤデッキ部１５から送出されるオーディオ信号が供給されるレベル調整部１６及びＡＭＰ部１７を含んだ動作部についての動作制御が、使用者の好みに応じた動作制御設定に従って行われることになり、ＦＭ／ＡＭチューナ部１４もしくはＭＤデッキ部１５から送出されるオーディオ信号についてのレベル調整部１６におけるレベル調整態様，ＡＭＰ部１７における増幅態様等が、使用者の好みに叶うものとされる。
【００４４】
このように、電子機器１０の動作部についての動作制御設定データを格納したメモリースティック１００が、電子機器１０に設けられたメモリースティックスロット１２に挿入されてメモリー部品装着部１１に装着されたとき、電子機器１０におけるレベル調整部１６及びＡＭＰ部１７を含む動作部が通常の動作状態にある場合における動作制御を行うにあたって、動作制御部２０を構成するマイクロコンピュータが実行する制御プログラムの一例は、図６に示される如くのものとされる。
【００４５】
図６に示される制御プログラムの一例にあっては、スタート後、ステップ５１において、電子機器１０におけるレベル調整部１６及びＡＭＰ部１７を含む動作部が通常の動作状態にあるか否かを判断する。その結果、電子機器１０における動作部が通常の動作状態にない場合には、ステップ５１での判断を繰り返す。
【００４６】
ステップ５１での判断の結果、電子機器１０における動作部が通常の動作状態にある場合には、ステップ５２において、電子機器１０に設けられたメモリースティックスロット１２に挿入されてメモリー部品装着部１１に装着されたメモリースティック１００から、動作制御設定データを読み出すにあたって、操作部２１における操作が要されるか否かを判断する。その結果、操作部２１における操作が要されない場合には、直ちに、ステップ５３に進み、ステップ５３において、メモリースティック書込み・読出し制御部１３に、メモリースティックスロット１２に挿入されてメモリー部品装着部１１に装着されているメモリースティック１００から、それに格納された動作制御設定データを読み出す動作状態をとらせる。続いて、ステップ５４において、表示部２２に、ステップ５３で読み出された動作制御設定データの内容を表示する動作を行わせる。
【００４７】
続いて、ステップ５５において、ステップ５４で表示された動作制御設定データについての確認がとれたか否かを判断する。その結果、動作制御設定データについての確認がとれた場合には、ステップ５６において、メモリースティック書込み・読出し制御部１３によりメモリースティック１００から読み出された動作制御設定データを、内蔵メモリー部２３に書き込んで取り込む。その後、ステップ５７において、元の動作状態に戻って、プログラムを終了する。
【００４８】
一方、ステップ５５において、ステップ５４で表示された動作制御設定データについての確認がとれない場合には、ステップ５８において、ステップ５５での判断後所定時間が経過したか否かを判断する。そして、ステップ５８での判断の結果、所定時間が経過していない場合には、ステップ５５に戻って、ステップ５５での判断を繰り返し、また、所定時間が経過した場合には、プログラムを終了する。
【００４９】
さらに、ステップ５２での判断の結果、操作部２１における操作が要される場合には、ステップ５９において、操作部２１における操作が有ったか否かを判断する。その結果、操作部２１における操作が有った場合には、ステップ５３に進み、ステップ５３以降の各ステップを実行する。
【００５０】
ステップ５９での判断の結果、操作部２１における操作が無かった場合には、ステップ６０において、ステップ５９での判断後所定時間が経過したか否かを判断する。そして、ステップ６０での判断の結果、所定時間が経過していない場合には、ステップ５９に戻って、ステップ５９での判断を繰り返し、また、所定時間が経過した場合には、プログラムを終了する。
【００５１】
【発明の効果】
以上の説明から明らかな如く、本願の特許請求の範囲における請求項１から請求項４までのいずれかに記載された発明に係る着脱自在メモリー部品を用いた電子機器制御方法によれば、電子機器用の動作制御設定データを格納した着脱自在メモリー部品からの動作制御設定データが、電子機器の動作制御部に取り込まれ、その動作制御部によって、電子機器についての取り込まれた動作制御設定データに基づく設定に従った動作制御が行われ、その際、電子機器用の動作制御設定データを格納した着脱自在メモリー部品は、例えば、電子機器の動作制御部により当該電子機器について行われた動作制御設定をあらわす動作制御設定データが着脱自在メモリー部品に書き込まれて得られ、それゆえ、電子機器の各使用者に固有の動作制御設定データを格納したものとされ得ることになる。
【００５２】
従って、電子機器の各使用者が、各々に固有の動作制御設定データを格納した着脱自在メモリー部品を電子機器に装着することにより、別段の煩わしさを感じることなく、当該電子機器についての自らの好みに応じた動作制御設定を行うことができ、その設定に従った電子機器の動作制御を行えることになる。
【００５３】
また、本願の特許請求の範囲における請求項５から請求項８までのいずれかに記載された発明に係る電子機器によれば、メモリー部品装着部に装着された電子機器用の動作制御設定データを格納した着脱自在メモリー部品から、そのメモリー部品装着部によって読み出された動作制御設定データが、電子機器の動作制御部に取り込まれ、その動作制御部によって、動作部についての取り込まれた動作制御設定データに基づく設定に従った動作制御が行われ、その際、電子機器用の動作制御設定データを格納した着脱自在メモリー部品は、例えば、電子機器の動作制御部により動作部について行われた動作制御設定をあらわす動作制御設定データが、メモリー部品装着部に装着された着脱自在メモリー部品に書き込まれて得られ、それゆえ、電子機器の各使用者に固有の動作制御設定データを格納したものとされ得ることになる。
【００５４】
従って、電子機器の各使用者が、各々に固有の動作制御設定データを格納した着脱自在メモリー部品をメモリー部品装着部に装着することにより、別段の煩わしさを感じることなく、動作部についての自らの好みに応じた動作制御設定を行うことができ、その設定に従った動作部の動作制御を行えることになる。
【００５５】
これよりして、本願の特許請求の範囲における請求項１から請求項４までのいずれかに記載された発明に係る着脱自在メモリー部品を用いた電子機器制御方法、あるいは、本願の特許請求の範囲における請求項５から請求項８までのいずれかに記載された発明に係る電子機器によれば、例えば、車両に搭載されるオーディオ機器，ビデオ機器等の電子機器が、複数の使用者による共通の使用に供されるもとにあって、複数の使用者の夫々が、当該電子機器についての自らの好みに応じた動作制御設定を、著しい煩わしさを感じることなく行え、あるいは、例えば、複数の車両に搭載されるオーディオ機器，ビデオ機器等の電子機器が、一人の使用者による共通の使用に供されるもとにあって、当該使用者が、複数の電子機器の夫々についての自らの好みに応じた動作制御設定を、著しい煩わしさを感じることなく行えることになる。
【図面の簡単な説明】
【図１】本願の特許請求の範囲における請求項１から請求項４までのいずれかに記載された発明に係る着脱自在メモリー部品を用いた電子機器制御方法の一例の実施に供される、本願の特許請求の範囲における請求項５から請求項８までのいずれかに記載された発明に係る電子機器の一例と着脱自在メモリー部品の一例とをあらわすブロック接続図である。
【図２】図１に示される着脱自在メモリー部品の一例を成すメモリースティックの外観をあらわす平面図である。
【図３】図１に示される着脱自在メモリー部品の一例を成すメモリースティックの電子機器の一例に対する装着状態の説明に供される部分斜視図である。
【図４】図１に示される動作制御部を構成するマイクロコンピュータが、使用者に固有のメモリースティックを得るにあたって実行する制御プログラムの一例を示すフロッチャートである。
【図５】図１に示される動作制御部を構成するマイクロコンピュータが、メモリースティックがメモリー部品装着部に装着されたもとにおいて、電子機器の電源が投入されたとき、動作部についての動作制御をメモリースティックから読み出された動作制御設定データがあらわす動作制御設定に従って行うにあたって実行する制御プログラムの一例を示すフローチャートである。
【図６】図１に示される動作制御部を構成するマイクロコンピュータが、メモリースティックがメモリー部品装着部に装着されたとき、電子機器における動作部が通常の動作状態にある場合における動作制御を行うにあたって実行する制御プログラムの一例を示すフローチャートである。
【符号の説明】
１０・・・電子機器，　１１・・・メモリー部品装着部，　１２・・・メモリースティックスロット，　１３・・・メモリースティック書込み・読出し制御部，　１４・・・ＦＭ／ＡＭチューナ部，　１５・・・ＭＤデッキ部，　１６・・・レベル調整部，　１７・・・ＡＭＰ部，　１８・・・スピーカ部，　２０・・・動作制御部，　２１・・・操作部，　２２・・・表示部，　２３・・・内蔵メモリー部，　２４・・・電源部，　１００・・・メモリースティック
【図１】
2004054987.tif 000003
【図２】
2004054987.tif 000004
【図３】
2004054987.tif 000005
【図４】
2004054987.tif 000006
【図５】
2004054987.tif 000007
【図６】
2004054987.tif 000008